(57)【要約】      （修正有）【課題】光源、熱源に取り付け、節電、安全であり、過暖房、過冷風、過熱等を防止する自動電源ＯＮ・ＯＦＦ切替制御調節器を提供する。【解決手段】電気暖房器、扇風機、室内、屋外の照明、ＵＶ殺菌灯、電動機、水揚げポンプ等に取り付け、正面に電源入力のための入力電源コード６、コードブッシング及びヒューズホルダーを有し、後面に２次電源供給のための出力コンセントを搭載し、筐体内部には、バイメタルタイマーを内蔵した制御ユニットを組込み、過負荷時に安全ヒューズで回路遮断を計り本器の保全遂行する為の自動電源ＯＮ・ＯＦＦ切替制御調節器。【選択図】図３
0003190845.tif 000002
【実用新案登録請求の範囲】
【請求項１】
本考案は、電気暖房器、扇風機、室内、屋外の照明、ＵＶ殺菌灯、電動機、水揚げポンプ等の電力自動制御装置で「ＯＮ」｛ＯＦＦ｝をバイメタルタイマーを内蔵した制御ユニットを採用し、電力節減を図ると同時に負荷側に異常（過電流）が発生したときは安全装置が作動し、出力が停止するので過熱を防ぐこともでき、この事は定格負荷に対して安全ヒューズが遮断するので出力電圧も即「零」になるため安全に維持できることを特徴とする自動電力供給調節器。
【請求項２】
本考案は、制御をしたい電気製品を外部より操作する事も可能であるが、本装置「自動電力供給調節器」「ＰＣシリーズ」を使用する事に「ＯＮ」｛ＯＦＦ｝の時間調節「秒」ができてその利便性は大であることを特徴とする請求項１記載の自動電力供給調節器（負荷側には原則として過熱防止等は付帯しており本ＰＣシリーズは２重の防止策としている）。
【請求項３】
高齢者単身生活社会での安全及び保全維持に於いて、年齢男女問わず誰しも物忘れが有る様に特に高齢単身生活者は要注意であり、請求項１に上げた電気暖房機、扇風機、暖冷房機はその対象物で、本装置を用いた時のメリットは、過暖房、過冷風、過熱等が防止できることを特徴とする請求項１乃至２のいずれか１項に記載の自動電力供給調節器。
【考案の詳細な説明】
【技術分野】
【０００１】  本考案は、街路灯や室内灯などの照明や電熱器等の家電機器等に自動電力供給調節器を取付けて、自動的にオン、オフ制御することで電力の省力化と安全に関するものである。
【背景技術】
【０００２】  従来は、例えば、公知の電熱器の場合には、スイッチで４００Ｗ，６００Ｗ、８００Ｗ等２段階又は３段階に出力を切り替えるものや、電気コタツや電気カーペットで人がいないにも拘らずヒータに通電され無駄な電力を消費したり、コタツ内に布団や他の物品が入れたままの状態で通電を継続した場合には非常に危険であった。電気カーペットであればヒータの切り忘れによる無駄な電力の消費は勿論のことカーペットの上面に寝入った場合には低温火傷を生じる危険があった。電源を切るまで電熱器は電気が入っている状態であり、年齢男女問わず誰しも物忘れが有る様に特に高齢単身生活者は消し忘れなど要注意であり、一方、昨今では省エネが叫ばれ無駄な電力消費をせず安全であることが電熱器の必須要件となっている。又、高齢者単身生活社会での安全及び省力化の保全維持に於いて大いに注意すべき問題が多いい（要は連続運転を必要としない電気製品に対して節電、このＰＣシリーズを活用することによって節電目的を果たすことにある）。
【考案の概要】
【考案が解決しようとする課題】
【０００４】  現在は、電力有効利用の観点から家庭用電気機器を含む一般電気機器に供給する電力を有効利用していない、待機中には小さく抑える高速応答の電力調整器を内臓した機器を組み込み、学習机、事務デスク、製図台等に設置されている照明器具、電動器具、電動装置等は電源スイッチが入ったままで必ずしも有効利用されないで無駄使いされていることが多い。そこで、電気暖房器、扇風機、室内、屋外の照明、ＵＶ殺菌灯、電動機、水揚げポンプ等には、本考案の自動電力供給調節器を設置して、電源を自動的にオン・オフを行わせることによって電気機器の消費電力を大きく下げると共に安全装置を設置して、過電流が流れた時には安全装置、又はヒューズが切断して電源を切断する、このことにより、高齢者、又は、単身生活者が安心して生活出来るよう、これらの問題点を解決しようとするものである。
【問題を解決するための手段】
【０００５】  家庭内の全ての電源は切断しないで連続運転している、電気暖房器、扇風機、室内、屋外の照明、ＵＶ殺菌灯、電動機、水揚げポンプ等１に電力削減のために電力自動制御装置２を取り付け、その電力自動制御装置２の「ＯＮ」「ＯＦＦ」を自動で制御して電力節減を図ると同時に負荷側に異常（過電流）が発生したときは安全装置が作動し、出力が停止するので過熱を防ぐこともでき、また、定格負荷に対して安全ヒューズが遮断することもできる節電（エコ）の為と安全の為の電力自動制御装置である。（尚、自動制御であるから、いちいちスイッチを入れたり、切ったりする必要がなく精神的負担から解放されるので、他の事に集中できる利便性がある。
【考案の効果】
【０００６】  家庭内のブレイカーを切ってすべての電力を切断しなくても、一部の冷蔵庫、安全灯、非常灯、時計、テレビ、ラジオ、コンピュータ等以外の電気暖房器、扇風機、室内、屋外の照明、ＵＶ殺菌灯、電動機、水揚げポンプ等に電力自動制御装置を設置して、「ＯＮ」「ＯＦＦ」を自動で制御して電力節減を図ると同時に負荷側に異常（過電流）が発生したときは安全装置が作動し、出力が停止するので過熱を防ぐこともでき、無駄な電力の削減と安全性の効果が高い。
【図面の簡単な説明】
【０００７】
【図１】  本考案の正面図
【図２】  本考案の背面図
【図３】  本考案の平面図
【図４】  本考案の右側面図
【図５】  本考案の電気回路図Ａ
【図６】  本考案の電気回路図Ｂ
【図７】  本考案の実施写真１
【図８】  本考案の実施写真２
【考案実施するための形態】
【０００８】  本考案の実施例を図面に基づいて説明する。
図１は本考案の自動電力供給調節器の正面図、図２は本考案の自動電力供給調節器の背面図、図３は本考案の自動電力供給調節器の平面図、図４は本考案の自動電力供給調節器の右側面図、図５本考案の自動電力供給調節器電気回路図Ａ、図５本考案の自動電力供給調節器電気回路図Ｂである。
本考案は、家庭内のブレイカーを切ってすべての電力を切断できない、一部の冷蔵庫、安全灯、非常灯、時計、テレビ、ラジオ、コンピュータ等以外で省力のために、連続で通電しなくてもすむ電気暖房器、扇風機、室内、屋外の照明、ＵＶ殺菌灯、電動機、水揚げポンプ、換気扇、電気こたつ、電気カーペット等に電力自動制御装置を取付け、その装置の「ＯＮ」｛ＯＦＦ｝でバイメタルタイマ−を内蔵した制御ユニットを採用し、電力節減を図ると同時に負荷側に異常（過電流）が発生したときは安全装置が作動し、出力が停止するので過熱を防ぐこともでき、この事は定格負荷に対して安全ヒューズが遮断するので出力電圧も即「零」になるため安全に維持し電力削減ができることを特徴とする自動電力供給調節器。
【符号の説明】
【０００９】  １  出力コンセント
２  電源表示灯
３  出力表示灯
４  本体フレーム
５  ヒューズホルダー
６  電源コード
７  ＯＮ・ＯＦＦダイヤル
８  電源スイッチ
９  コードホルダー
【図１】
0003190845.tif 000003
【図２】
0003190845.tif 000004
【図３】
0003190845.tif 000005
【図４】
0003190845.tif 000006
【図５】
0003190845.tif 000007
【図６】
0003190845.tif 000008
【図７】
0003190845.tif 000009
【図８】
0003190845.tif 000010
【手続補正書】
【提出日】平成26年3月3日(2014.3.3)
【手続補正１】
【補正対象書類名】実用新案登録請求の範囲
【補正対象項目名】全文
【補正方法】変更
【補正の内容】
【実用新案登録請求の範囲】
【請求項１】
正面に電源入力のための入力電源コード、コードブッシング及びヒューズホルダーを有し，後面に２次電源供給のための出力コンセントを搭載し、筐体内部には、バイメタルタイマーを内蔵した制御ユニットを組込み、過負荷時に安全ヒューズで回路遮断を計り本器の保全遂行する為の自動電源  ＯＮ  ＯＦＦ  切替制御調節器。